(57)【要約】【課題】汎用性があり、利便性が良好な空気調和機を実現する。【解決手段】空気調和機は、運転したときの空調設定とイベントまたは出席者とを関連づけた空調設定履歴情報を作成する履歴情報作成部（２１ｂ）と、空調領域でのイベントと同じ、空調設定履歴情報に含まれる過去イベント、または出席者と同じ、過去イベントの出席者と関連づけた空調設定により空気調和機の空調設定を行う空調運転制御部（２１ｄ）とを備える。【選択図】図１
2019002577.tif 000002
【特許請求の範囲】
【請求項１】
空気調和機を運転したときの空調設定とそのときの空調領域でのイベントまたは前記イベントの出席者とを関連づけた空調設定履歴情報を作成する履歴情報作成部と、
空気調和機を運転するときに、前記空調領域でのイベントと同じ、前記空調設定履歴情報に含まれる過去イベント、または前記空調領域でのイベントの出席者と同じ、前記過去イベントの出席者と関連づけられた空調設定に基づいて、空気調和機を運転するときの空調設定を行う空調運転制御部とを備えていることを特徴とする空気調和機。
【請求項２】
空調領域でのスケジュール情報を取得するスケジュール情報取得部と、
前記スケジュール情報に含まれる予定イベントと同じ、前記空調設定履歴情報に含まれる過去イベント、または前記予定イベントの出席者と同じ、前記過去イベントの出席者と関連づけられた空調設定に基づいて、前記予定イベントでの空調設定予定情報を作成する予定情報作成部とを備え、
前記空調運転制御部は、前記空調設定予定情報の空調設定を空気調和機を運転するときの空調設定とすることを特徴とする請求項１に記載の空気調和機。
【請求項３】
音声取得部と、
前記音声取得部が取得した音声の声紋を認識する声紋認識部とを備え、
前記履歴情報作成部は、空気調和機を運転したときの空調設定とそのときの前記空調領域での前記イベントの出席者の声紋とを関連づけた空調設定履歴情報を作成し、
前記空調運転制御部は、前記空調領域に存在する前記声紋と同じ、前記空調設定履歴情報に含まれる声紋と関連づけられた空調設定に基づいて、空気調和機を運転するときの空調設定を行うことを特徴とする請求項１に記載の空気調和機。
【請求項４】
前記空調運転制御部は、設定した空調設定に従って自動的に空気調和機を運転することを特徴とする請求項１から３のいずれか１項に記載の空気調和機。
【請求項５】
外部装置と通信する通信部を備え、
前記空調運転制御部は、設定した前記空調設定による空気調和機の運転の可否の問い合わせを前記通信部から前記外部装置へ送信し、前記空調設定による空気調和機の運転を可とする返信を前記外部装置から受信したときに、前記空調設定に従って空気調和機を運転する一方、前記空調設定による空気調和機の運転の否とする返信を前記外部装置から受信したときに、前記外部装置または前記外部装置とは異なる外部装置からの空調設定に従って空気調和機を運転することを特徴とする請求項１から３のいずれか１項に記載の空気調和機。
【請求項６】
請求項１に記載の空気調和機としてコンピュータを機能させるためのプログラムであって、前記履歴情報作成部および前記空調運転制御部としてコンピュータを機能させるためのプログラム。
【請求項７】
請求項６に記載のプログラムを記録したコンピュータ読み取り可能な記録媒体。
【発明の詳細な説明】
【技術分野】
【０００１】
本発明は、例えば冷房や暖房等の空調運転を行う空気調和機、プログラムおよび記録媒体に関する。
【背景技術】
【０００２】
従来、空気調和機の利便性を高めるために、音声認識を利用して空気調和機に対する制御情報を作成する技術が多数提案されている。
【０００３】
特許文献１に記載の構成では、空気調和空間に存在する個人を識別し、予め設定されている複数の個人用空気調和条件の中から該当する個人の個人用空気調和条件を選択し、選択した個人用空気調和条件に基づいて空気調和の動作を行わせるようにしている。この場合、空気調和空間に存在する個人の識別は、個人の音声を音声メモリに記憶している音声と比較することにより行っている。
【０００４】
特許文献２に記載の構成では、空気調和機に対してのユーザの音声発話による運転指示をスマートフォンにて認識し、空気調和機に対する運転制御情報として取得している。取得した運転制御情報は、時刻情報やカレンダー情報等の環境情報にて決定される補正パラメータにより、必要に応じて修正する。具体的には、取得した運転制御情報をスマートフォンの画面に表示し、補正パラメータにより修正するかどうかをユーザが決定する。その後、この手順を経て得られた運転制御情報をスマートフォンから空気調和機に送信し、空気調和機では、受信した運転制御情報に基づいて動作を制御する。
【０００５】
特許文献３に記載の構成では、例えば空気調和機が備えるマイクにて音声を取得して、予め登録されているユーザの音声を認識し、ユーザの音声の変化量に基づいてユーザの活動量の大小を判断し、ユーザの活動量の大小に基づいて空気調和機の運転制御を行うようにしている。
【先行技術文献】
【特許文献】
【０００６】
【特許文献１】特開平９−１４５１２３号公報
【特許文献２】特開２０１５−１０８４６４号公報
【特許文献３】特許第５０２０２２２号公報
【発明の概要】
【発明が解決しようとする課題】
【０００７】
上記従来のように、空気調和機の運転状態の設定を自動的に行う構成では、例えば会社の応接室や自宅の居間など、空気調和機の設定がそれら部屋を使用するユーザの好みに応じて自動的に行われることが好ましい。また、会社の応接室や自宅の居間は訪問客が在室する場合が多く、それら部屋を使用するユーザは、特定の取引先の特定の担当者、あるいは家族やその友人などの限られた範囲の人々ではなく、特定の取引先の新たな担当者、あるいは家族やその友人および友人の友人などの広い範囲の人々である。
【０００８】
これに対し、特許文献１および３に記載の構成では、空気調和機の制御情報を作成する場合に、制御情報の作成の対象となるユーザを予め登録しておく必要がある。このため、予め登録されたユーザにしか対応することができない。また、追加の登録が可能であったとしてもその登録作業が非常に面倒である。このため、特許文献１および３に記載の構成は、汎用性の低い構成となっている。
【０００９】
また、特許文献２に記載の構成では、空気調和機に対してのユーザの音声発話による運転指示に基づいて運転制御情報として取得しているので、予めユーザが発話するキーワードとそのキーワードに対応する運転制御情報との関係を予め登録しておく必要がある。このため、予め登録されたキーワードにしか対応することができず、同様に汎用性の低い構成となっている。
【００１０】
また、従来の空気調和機は、一般に、前回運転時の設定内容を記憶しており、今回起動した場合に前回運転時の設定（例えば温度設定や風量設定）にて運転するようになっている。このため、例えば会社の応接室や自宅の居間の空気調和機では、それら部屋の使用者の好みに応じで、その都度設定をし直さなければならない。このため、利便性が悪いという問題点を有している。
【００１１】
したがって、本発明の一態様は、汎用性があり、利便性が良好な空気調和機、プログラムおよび記録媒体を実現することを目的としている。
【課題を解決するための手段】
【００１２】
本発明の一態様の空気調和機は、空気調和機を運転したときの空調設定とそのときの空調領域でのイベントまたは前記イベントの出席者とを関連づけた空調設定履歴情報を作成する履歴情報作成部と、空気調和機を運転するときに、前記空調領域でのイベントと同じ、前記空調設定履歴情報に含まれる過去イベント、または前記空調領域でのイベントの出席者と同じ、前記過去イベントの出席者と関連づけられた空調設定に基づいて、空気調和機を運転するときの空調設定を行う空調運転制御部とを備えている。
【発明の効果】
【００１３】
本発明の一態様によれば、汎用性があり、利便性が良好な空気調和機を実現することができるという効果を奏する。
【図面の簡単な説明】
【００１４】
【図１】本発明の実施形態の空気調和システムの構成を示すブロック図である。
【図２】図１に示した情報端末装置が保持する応接室使用スケジュール情報を示す説明図である。
【図３】図１に示した空調機制御部が作成する応接室の空調設定履歴情報を示す説明図である。
【図４】図１に示した空調機制御部が作成する応接室の空調設定予定情報を示す説明図である。
【図５】図１に示した空調機制御部による自動運転モードでの空調ユニットの制御動作、および応接室の空調設定履歴情報の作成動作を示すフローチャートである。
【図６】図１に示した空調機制御部による応接室の空調設定予定情報の作成動作を示すフローチャートである。
【図７】図１に示した空調機制御部の空調運転制御部によるユーザ選択モードでの応接室の空調ユニットの制御動作、および応接室の空調設定履歴情報の作成動作を示すフローチャートである。
【図８】本発明の他の実施形態の空気調和システムの構成を示すブロック図である。
【図９】図８に示した情報端末装置が保持するイベントスケジュール情報を示す説明図である。
【図１０】図８に示した空調機制御部が作成する自宅の居間の空調設定履歴情報を示す説明図である。
【図１１】図８に示した空調機制御部が作成する自宅の居間の空調設定予定情報を示す説明図である。
【図１２】図８に示した空調機制御部による自動運転モードでの自宅の居間の空調ユニットの制御動作、および自宅の居間の空調設定履歴情報の作成動作を示すフローチャートである。
【図１３】図８に示した空調機制御部による自宅の居間の空調設定予定情報の作成動作を示すフローチャートである。
【図１４】本発明のさらに他の実施形態の空気調和システムの構成を示すブロック図である。
【図１５】図１４に示した空調機制御部が作成する応接室の空調設定履歴情報を示す説明図である。
【図１６】図１４に示した空調機制御部による自動運転モードでの応接室の空調ユニットの制御動作、および応接室の空調設定履歴情報の作成動作を示すフローチャートである。
【図１７】図１４に示した空調機制御部によるユーザ選択モードでの応接室の空調ユニット２４の制御動作、および応接室の空調設定履歴情報の作成動作を示すフローチャートである。
【図１８】図１４に示した空調機制御部が作成する応接室の空調設定履歴情報を示す説明図である。
【発明を実施するための形態】
【００１５】
〔実施形態１〕
本発明の実施形態を図面に基づいて以下に説明する。本実施形態では、空調設定の対象となる空気調和機が会社の応接室に備えられている空気調和機である場合、かつ空気調和機が自動運転モードで動作する場合を例に説明する。
【００１６】
図１は本実施形態の空気調和システムの構成を示すブロック図である。図２は、図１に示した情報端末装置１２が保持する応接室使用スケジュール情報を示す説明図である。図３は、図１に示した空調機制御部２１が作成する応接室（空調領域）の空調設定履歴情報を示す説明図である。図４は、図１に示した空調機制御部２１が作成する応接室の空調設定予定情報を示す説明図である。
【００１７】
図１に示すように、空気調和システムは、空気調和機１１、情報端末装置１２、サーバ１３およびリモートコントローラ（以下、単にモコンと称する）１４を備えている。
【００１８】
（空気調和機１１の構成）
図１に示すように、空気調和機１１は、空調機制御部２１、通信部２２、空調記憶部２３および空調ユニット２４を備えている。
【００１９】
通信部２２は、例えばインターネット回線（通信回線）によりサーバ１３を介して情報端末装置１２と通信する。
【００２０】
空調機制御部２１は、マイクロコンピュータからなり、スケジュール情報取得部２１ａ、履歴情報作成部２１ｂ、予定情報作成部２１ｃおよび空調運転制御部２１ｄを備えている。
【００２１】
スケジュール情報取得部２１ａは、通信部２２により情報端末装置１２と通信して、情報端末装置１２が保持する応接室使用スケジュール情報（図２参照）を取得し、空調記憶部２３に記憶させる。
【００２２】
履歴情報作成部２１ｂは、空気調和機１１を運転したときの空調設定とそのときに存在した人（来訪者）とを関連づけた応接室の空調設定履歴情報（図３参照）を作成し、空調記憶部２３に記憶させる。
【００２３】
予定情報作成部２１ｃは、応接室使用スケジュール情報と応接室の空調設定履歴情報とを参照して、応接室の空調設定予定情報（図４参照）を作成し、空調記憶部２３に記憶させる。
【００２４】
空調運転制御部２１ｄは、予定情報作成部２１ｃが作成した応接室の空調設定予定情報に従って、空調ユニット２４の動作を制御する。これにより、空気調和機１１は、応接室に対する空調動作を行う。
【００２５】
なお、応接室の空調設定予定情報の空調設定に基づいて、空調機制御部２１が空調ユニット２４の運転制御を行っている状態において、ユーザが操作するリモコン１４から空調設定の変更が指示された場合、空調機制御部２１は、リモコン１４から空調設定の変更指示を優先して、空調設定を変更するようにしてもよい。この点は、以下の他の実施形態（実施形態２〜４）においても同様である。
【００２６】
空調記憶部２３は、不揮発性のメモリからなり、空調設定履歴情報、応接室使用スケジュール情報および空調設定予定情報に加えて、その他の各種情報を記憶する。
【００２７】
空調ユニット２４は、冷房、暖房、送風、除湿、脱臭および換気等の各機能を有し、空調機制御部２１の運転制御により、適宜それら動作を行う。
【００２８】
（情報端末装置１２の構成）
情報端末装置１２は、例えばパーソナルコンピュータ、あるいはスマートフォン等からなり、端末制御部３１、通信部３２、表示部３３、入力部３４、スケジュール作成部３５および端末記憶部３６を備えている。
【００２９】
通信部３２は、例えばインターネット回線（通信回線）によりサーバ１３を介して空気調和機１１と通信する。
【００３０】
表示部３３は、端末制御部３１に制御され、各種情報を表示する。入力部３４は、ユーザ操作による各種入力を受け付ける。
【００３１】
スケジュール作成部３５は、スケジュール作成用のアプリケーションソフトウエアを使用し、ユーザによる入力部３４からの入力に応じて、応接室使用スケジュールを作成する。
【００３２】
端末制御部３１は、スケジュール作成部３５が作成した応接室使用スケジュールを応接室使用スケジュール情報として端末記憶部３６に記憶させる。また、端末制御部３１は、空気調和機１１からの要求に応じて、端末記憶部３６が記憶している応接室使用スケジュール情報を通信部３２により空気調和機１１へ送信する。端末記憶部３６は、応接室使用スケジュール情報に加えて、その他の各種情報を記憶する。
【００３３】
（応接室使用スケジュール情報、空調設定履歴情報、空調設定予定情報）
図２に示す応接室使用スケジュール情報、図３に示す応接室の空調設定履歴情報、および図４に示す応接室の空調設定予定情報は、簡略化のため、来訪予定者をＡ社のみ限定し、かつ来訪の時期を夏の一定期間に限定して示している。
【００３４】
（空調設定予定情報に基づく空気調和機の運転、および空調設定履歴情報の作成動作）
上記の構成において、空調機制御部２１による空気調和機１１の自動運転モードでの運転制御動作について以下に説明する。図５は、空調機制御部２１による自動運転モードでの空調ユニット２４の制御動作、および応接室の空調設定履歴情報の作成動作を示すフローチャートである。
【００３５】
空気調和機１１は、運転モードとして自動運転モードまたはユーザ選択モードによる運転が可能であり、この運転モードの切り替えは、ユーザが操作する例えばリモコン１４からの指示によって行うことができる。この点は以下の他の実施形態の空気調和機においても同様である。
【００３６】
空調機制御部２１が空気調和機１１の運転を制御する場合、図５に示すように、空調機制御部２１の空調運転制御部２１ｄは、空調記憶部２３が記憶している応接室の空調設定予定情報を参照する（Ｓ１１）
空調運転制御部２１ｄは、応接室の空調設定予定情報に設定されている、応接室の使用時間の開始時刻になると（Ｓ１２）、応接室の空調設定予定情報の空調設定に基づく空調ユニット２４の運転を開始する（Ｓ１３）。これにより、空気調和機１１は、応接室に対して空調設定予定情報に基づく空調動作を行う。
【００３７】
その後、リモコン１４からの空調設定の変更指示が無く（Ｓ１４）、応接室の使用時間の終了時刻になると（Ｓ１５）、空調機制御部２１は、空調ユニット２４に対する運転制御を終了し（Ｓ１６）、今回行った空調設定に基づき、空調記憶部２３が記憶している応接室の空調設定履歴情報を更新する（Ｓ１７）。
【００３８】
一方、Ｓ１４において、リモコン１４からの空調設定の変更指示があれば、リモコン１４からの空調設定に従って、空調ユニット２４の運転制御を行い（Ｓ１８）、Ｓ１５の動作へ進む。
【００３９】
なお、空気調和機１１の運転開始および運転終了は、応接室の使用時間に基づく空調機制御部２１による制御によらず、リモコン１４からの指示により行うようにしてもよい。
【００４０】
上記のように、応接室の空調設定履歴情報は、応接室の空調設定予定情報に基づいて空気調和機１１の運転が行われるごとに更新され、履歴情報が蓄積されていく。
【００４１】
（空調設定予定情報の作成動作）
図６は、空調機制御部２１による応接室の空調設定予定情報の作成動作を示すフローチャートである。
【００４２】
空調機制御部２１の予定情報作成部２１ｃが応接室の空調設定予定情報を作成する場合、図６に示すように、空調機制御部２１のスケジュール情報取得部２１ａは、情報端末装置１２と通信し、情報端末装置１２から応接室使用スケジュール情報を取得する（Ｓ３１）。取得した応接室使用スケジュール情報は、空調記憶部２３に記憶させる。
【００４３】
次に、空調機制御部２１の予定情報作成部２１ｃは、空調記憶部２３が記憶している応接室使用スケジュール情報および応接室の空調設定履歴情報を参照して、応接室の空調設定予定情報を作成する（Ｓ３２）。作成した空調設定予定情報は空調記憶部２３に記憶させる。
【００４４】
ここで、空調機制御部２１による空調設定予定情報の具体的な作成動作を以下に示す。
（１）2017/08/09のａ氏来訪の際の応接室の空調設定
応接室の空調設定履歴情報
・2017/07/05のａ氏来訪時の空調設定履歴：「冷房：温度低め、風量：強め」
（このような冷房、風量の空調設定となったのは、ａ氏がそのような設定を好んだため）
・2017/07/19のａ氏来訪時の空調設定履歴：「冷房：温度低め、風量：強め」
（このような冷房、風量の空調設定となったのは、上記に同じ）
そこで、応接室の空調設定予定情報では、2017/08/09のＡ社のａ氏が来訪する時間帯（使用時間10:30-11:30）の空気調和機１１の空調設定を「冷房：温度低め、風量：強め」とする。
（２）2017/08/16のｂ氏来訪の際の応接室の空調設定
応接室の空調設定履歴情報
・2017/07/12のｂ氏来訪時の空調設定履歴：「冷房：温度高め、風量：弱め」
（このような冷房、風量の空調設定となったのは、ｂ氏がそのような設定を好んだため）
・2017/07/26のｂ氏来訪時の空調設定履歴：「冷房：温度高め、風量：弱め」
（このような冷房、風量の空調設定となったのは、上記に同じ）
そこで、応接室の空調設定予定情報では、2017/08/16のＡ社のｂ氏が来訪する時間帯（使用時間10:00-11:00）の空気調和機１１の空調設定を「冷房：温度高め、風量：弱め」とする。
（３）2017/08/23のａ氏およびｂ氏来訪の際の応接室の空調設定
応接室の空調設定履歴情報
・ａ氏来訪時の上記空調設定履歴：「冷房：温度低め、風量：強め」
・ｂ氏来訪時の上記空調設定履歴：「冷房：温度高め、風量：弱め」
そこで、応接室の空調設定予定情報では、2017/08/23のＡ社のａ氏およびｂ氏が来訪する時間帯（使用時間9:30-10:30）の空気調和機１１の空調設定は、ａ氏およびｂ氏の空調設定履歴の中間値を採用し、「冷房：温度標準、風量：標準」とする。
【００４５】
なお、温度設定の標準温度（例えば冷房：温度標準）は、例えば、季節ごと、あるいは月ごとの標準温度として空気調和機１１に設定されている標準温度である。また、温度設定の高め、低め（例えば、冷房：温度高め、冷房：温度低め）は、上記標準温度に対する高めの温度、低めの温度であり、それぞれ上記標準温度に対し、例えば、＋１℃〜＋２℃、−１℃〜−２℃といった温度である。この点は、以下に示す他の実施形態においても同様である。
【００４６】
なお、本実施形態において、履歴情報作成部２１ｂは、応接室（空調領域）を使用した来訪者（イベントの出席者）とそのときの空調設定とを関連付けた空調設定履歴情報を作成する構成とした。しかしながら、履歴情報作成部２１ｂは、応接室（空調領域）で行われたイベント（本実施形態では打合せ（あるいはＡ社との打合せ））とそのときの空調設定とを関連付けた空調設定履歴情報を作成する構成であってもよい。
【００４７】
この場合、予定情報作成部２１ｃは、スケジュール情報に含まれる予定イベント（打合せ（あるいはＡ社との打合せ））と同じ、空調設定履歴情報に含まれる過去イベント（打合せ（あるいはＡ社との打合せ））と関連づけられた空調設定に基づいて、上記予定イベントでの空調設定予定情報を作成する。空調運転制御部２１ｄは、空調設定予定情報の予定イベントの空調設定を上記予定イベントにて空気調和機１１を運転するときの空調設定とする。この点は、以下の他の実施形態においても同様である。
【００４８】
（空気調和機１１の利点）
上記のように、空気調和機１１では、応接室使用スケジュール情報から、応接室で行われる予定のイベントまたは応接室の使用予定者（例えば応接室を使用する予定の来訪者）を特定し、応接室の空調設定履歴情報に記されている、上記イベントが過去に行われたとき、あるいは上記使用予定者が過去に応接室を使用したときの空調設定履歴に基づいて、応接室の空調設定予定情報の空調設定（上記イベントが行われる際、あるいは上記使用予定者が応接室を使用する際の空調設定）を自動的に行うようにしている。また、応接室の空調設定履歴情報は、何等かのイベントが応接室にて行われた場合、あるいは誰かが応接室を使用した場合に、そのイベントまたは使用者と空調設定との関係を示す履歴情報として蓄積されていく。
【００４９】
したがって、空気調和機１１は、空気調和機１１の使用者や空調設定を自動的に行う場合のキーワードを予め登録しておく必要がなく、幅広いイベントや使用者についての自動的な空調設定に対応可能である。これにより、空気調和機１１は、高い汎用性および高い利便性を備えることができる。
【００５０】
（空気調和システムおよび空気調和機１１のその他の構成）
図３に示した応接室の空調設定履歴情報の空調設定履歴および図４に示した応接室の空調設定予定情報の空調設定では、冷房の温度設定および風量設定のみについて示したが、設定対象として、その他、例えば暖房、除湿、脱臭あるいは換気の各運転を含んでいてもよい。
【００５１】
また、応接室の空調設定予定情報の空調設定では、複数の個人（例えばａ氏およびｂ氏）の来訪者がある場合、それら複数の個人の空調設定の履歴から、中間値の空調設定を行うようにしたが、いずれかの個人の履歴を優先して空調設定を行うようにしてもよい。この場合、優先する個人は、例えば空調の設定に敏感な女性や高齢者、幼児などである。
【００５２】
また、空気調和機１１と情報端末装置１２の通信は、サーバ１３を介して行う構成に限定されず、例えばペアリングを行うことにより、空気調和機１１と情報端末装置１２とが何らかのアクセスポイントを介して行う構成、あるいは空気調和機１１と情報端末装置１２とが直接通信を行う構成であってもよい。
【００５３】
また、空調機制御部２１による空気調和機１１に対しての空調設定による運転制御を変更する場合、リモコン１４から変更指示を行う例について示したが、この変更指示は、情報端末装置１２から行う構成であってもよい。
【００５４】
また、上記の実施形態では、空調設定予定情報の空調設定に基づいて空調ユニット２４の運転制御を行う場合に（Ｓ１３）、リモコン１４からの空調設定の変更指示があれば（Ｓ１４）、リモコン１４からの空調設定に従って空調ユニット２４の運転制御を行うようにした（Ｓ１８）。しかしながら、これに代えて、次のような動作を行ってもよい。すなわち、空調設定予定情報の空調設定に基づいて空調ユニット２４の運転制御を行う場合に（Ｓ１３）、リモコン１４からの空調設定の変更指示があれば（Ｓ１４）、空調設定予定情報の空調設定に基づいて空調ユニット２４の運転制御を行う予定である旨の情報（あるいは行っている旨の情報）を情報端末装置１２に送信する。情報端末装置１２では、空調設定予定情報の空調設定に基づいて空調ユニット２４の運転制御を行う予定であること（あるいは行っていること）を示すメッセージ、およびリモコン１４からの指示に従って空調設定を変更してもよいかどうかをユーザに問うメッセージを表示部３３に表示する。その後、この問いに対する情報端末装置１２の回答に従って、空気調和機１１の空調運転制御部２１ｄは、空調設定予定情報の空調設定に基づいて空調ユニット２４の運転制御を行う。あるいは、リモコン１４からの指示に従って空調設定を変更する。
【００５５】
なお、空気調和機１１から情報端末装置１２に対する上記の問い合わせ、およびその問い合わせに対する情報端末装置１２から空気調和機１１への回答は、情報端末装置１２に代えてリモコン１４が対応するようにしてもよい。この場合、リモコン１４は、例えば図１４に示すように、空気調和機１１との通信機能、および情報の表示機能を備えた構成となる。
【００５６】
以上に説明した構成は、以下に示す他の実施形態の構成においても同様に適用可能である。
【００５７】
〔実施形態２〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、空調設定の対象となる空気調和機が会社の応接室に備えられている空気調和機である場合、かつ空気調和機がユーザ選択モードで動作する場合を例に説明する。
【００５８】
（空気調和機１１の運転制御）
空調機制御部２１による空気調和機１１のユーザ選択モードでの運転制御動作について以下に説明する。図７は、空調機制御部６１の空調運転制御部２１ｄによるユーザ選択モードでの応接室の空調ユニット２４の制御動作、および応接室の空調設定履歴情報の作成動作を示すフローチャートである。
【００５９】
図７に示すＳ１１〜Ｓ１８の動作は、図５に示したＳ１１〜Ｓ１８と同じであるので、説明を省略する。
【００６０】
空気調和機１１の空調運転制御部２１ｄは、Ｓ１２の判定において、応接室の空調設定予定情報に設定されている、応接室の使用時間の開始時刻になると（Ｓ１２）、空調設定予定情報の空調設定による空気調和機１１の運転の可否を問い合わせる（Ｓ２１）。
【００６１】
この場合、空気調和機１１の空調運転制御部２１ｄｃは、情報端末装置１２に対して空調設定予定情報の空調設定を送信し、空調設定による空気調和機１１の運転の可否を問い合わせる。これに応じて情報端末装置１２では、端末制御部３１は、空気調和機１１から受信した空調設定、およびその空調設定による空気調和機１１の運転の可否を問うメッセージを表示部３３に表示させる。その後、ユーザの入力部３４の操作により、上記空調設定による空気調和機１１の運転を「可」または「否」とする入力が行われると、情報端末装置１２は、その情報を空気調和機１１へ送信する。
【００６２】
空気調和機１１の空調運転制御部２１ｄは、情報端末装置１２から、空調設定予定情報の空調設定による空気調和機１１の運転を「可」とする返信を受信すると（Ｓ２２）、Ｓ１３へ進み、空調設定予定情報の空調設定による空気調和機１１の運転を開始する。
【００６３】
一方、空気調和機１１の空調運転制御部２１ｄは、情報端末装置１２から、空調設定予定情報の空調設定による空気調和機１１の運転を「否」とする返信を受信すると（Ｓ２２）、Ｓ１８へ進み、リモコン１４からの空調設定に従って空気調和機１１の運転を開始する。
【００６４】
（空気調和機１１の利点）
本実施形態の空気調和機１１では、応接室使用スケジュール情報から、応接室で行われる予定のイベントまたは応接室の使用予定者（例えば応接室を使用する予定の来訪者）を特定し、応接室の空調設定履歴情報に記されている、上記イベントが過去に行われたとき、あるいは上記使用予定者が過去に応接室を使用したときの空調設定履歴に基づいて、応接室の空調設定予定情報の空調設定（上記イベントが行われる際、あるいは上記使用予定者が応接室を使用する際の空調設定）を自動的に行うようにしている。また、応接室の空調設定履歴情報は、何等かのイベントが応接室にて行われた場合、あるいは誰かが応接室を使用した場合に、そのイベントまたは使用者と空調設定との関係を示す空調設定履歴として蓄積されていく。
【００６５】
したがって、空気調和機１１は、空気調和機１１の使用者や空調設定を自動的に行う場合のキーワードを予め登録しておく必要がなく、幅広い使用者についての自動的な空調設定に対応可能である。
【００６６】
また、空気調和機１１を運転するときに、空調設定予定情報の空調設定による空気調和機１１の運転の可否をユーザが選択することができる。これにより、空気調和機１１は、高い汎用性およびさらに高い利便性を備えることができる。
【００６７】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、空調設定の対象となる空気調和機が自宅の居間に備えられている空気調和機である場合を例に説明する。
【００６８】
図８は本実施形態の空気調和システムの構成を示すブロック図である。図９は、図８に示した情報端末装置１２が保持するイベントスケジュール情報を示す説明図である。図１０は、図８に示した空調機制御部２１が作成する自宅の居間（空調領域）の空調設定履歴情報を示す説明図である。図１１は、空調機制御部２１が作成する自宅の居間の空調設定予定情報を示す説明図である。
【００６９】
図８に示すように、本実施形態の空気調和システムは、空気調和機１１、情報端末装置１２、サーバ１３およびリモートコントローラ（以下、単にモコンと称する）１４を備えている。
【００７０】
（空気調和機１１の構成）
図８に示すように、空気調和機１１は、空調機制御部２１、通信部２２、空調記憶部２３および空調ユニット２４を備えている。
【００７１】
本実施形態において、空調機制御部２１のスケジュール情報取得部２１ａは、情報端末装置１２が保持する居間のイベントスケジュール情報（図９参照）を取得し、空調記憶部２３に記憶させる。
【００７２】
履歴情報作成部２１ｂは、居間が使用されたときの実際の空調設定に基づいて、空気調和機１１を運転したときの空調設定と居間（空調領域）にて行われたイベントまたはそのイベントの出席者（そのときに存在した人）とを関連づけた居間の空調設定履歴情報（図１０参照）を作成し、空調記憶部２３に記憶させる。
【００７３】
予定情報作成部２１ｃは、イベントスケジュール情報と居間の空調設定履歴情報とを参照して、居間の空調設定予定情報（図１１参照）を作成し、空調記憶部２３に記憶させる。
【００７４】
空調運転制御部２１ｄは、予定情報作成部２１ｃが作成した居間の空調設定予定情報に従って、空調ユニット２４の動作を制御する。これにより、空気調和機１１は、居間に対する空調動作を行う。
【００７５】
（情報端末装置１２の構成）  本実施形態において、情報端末装置１２のスケジュール作成部３５は、スケジュール作成用のアプリケーションソフトウエアを使用し、ユーザによる入力部３４からの入力に応じて、自宅の居間でのイベントスケジュールを作成する。
【００７６】
端末制御部３１は、スケジュール作成部３５が作成したイベントスケジュールをイベントスケジュール情報として端末記憶部３６に記憶させる。また、端末制御部３１は、空気調和機１１からの要求に応じて、端末記憶部３６が記憶しているイベントスケジュール情報を通信部３２により空気調和機１１へ送信する。情報端末装置１２のその他の構成は、図１に示した情報端末装置１２と同様である。
【００７７】
（イベントスケジュール情報、空調設定履歴情報、空調設定予定情報）
図９に示すイベントスケジュール情報、図１０に示す居間の空調設定履歴情報、および図１１に示す居間の空調設定予定情報は、簡略化のため、イベントの時期を夏の一定期間に限定して示している。
【００７８】
（空調設定予定情報に基づく空気調和機の運転、および空調設定履歴情報の作成動作）
上記の構成において、本実施形態の空気調和機１１の自動運転モードでの運転制御動作について以下に説明する。図１２は、空調機制御部２１による自動運転モードでの空調ユニット２４の制御動作、および居間の空調設定履歴情報の作成動作を示すフローチャートである。
【００７９】
図１２に示すＳ４１〜Ｓ４８の動作は、図５に示した動作の「応接室」が「居間」に変わったこと以外、図５に示したＳ１１〜Ｓ１８と同じである。したがって、図１２の説明は省略する。
【００８０】
（空調設定予定情報の作成動作）
図１３は、空調機制御部２１による居間の空調設定予定情報の作成動作を示すフローチャートである。
【００８１】
図１３に示すＳ６１〜Ｓ６２の動作は、図６に示した動作の「応接室使用スケジュール情報」が「イベントスケジュール情報」に変わったこと以外、図６に示したＳ３１〜Ｓ３２と同じである。したがって、図１３の説明は省略する。
【００８２】
次に、空調機制御部２１による空調設定予定情報の具体的な作成動作を以下に示す。
（１）2017/08/06の長男の誕生会（長男の友達）の際の居間の空調設定
居間の空調設定履歴情報
・2016/08/06の長男の誕生会（長男の友達）の際の空調設定履歴：「冷房：温度低め、風量：強め」（このような冷房、風量の空調設定となったのは、参加者である子供は動きが多く、暑がり易いため）
そこで、居間の空調設定予定情報では、2017/08/06の長男の誕生会（長男の友達）の時間帯（使用時間14:00-16:00）の空調設定を「冷房：温度低め、風量：強め」とする。
（２）2017/08/17のお茶会（Ｓ嬢）の際の居間の空調設定
居間の空調設定履歴情報
・2017/08/03のお茶会（Ｓ嬢，Ｙ嬢）の際の空調設定履歴：「冷房：温度高め、風量：弱め」（このような冷房、風量の空調設定となったのは、参加者であるＳ嬢，Ｙ嬢がそのような設定を好んだため）
そこで、居間の空調設定予定情報では、2017/08/17のお茶会（Ｓ嬢）の際の時間帯（使用時間15:00-16:00）の空調設定を「冷房：温度高め、風量：弱め」とする。
（３）2017/08/19の主人の飲み会の際の居間の空調設定
居間の空調設定履歴情報
・2017/07/22の主人の飲み会（主人の友達（Ｈ氏など））の際の空調設定履歴：「冷房：温度低め、風量：強め、脱臭」（このような冷房、風量の空調設定となったのは、参加者である男性の多くがそのような設定を好んだため／脱臭を設定したのは、参加者であるＨ氏に喫煙習慣があり、また部屋にお酒の臭いが漂うため）
そこで、居間の空調設定予定情報では、2017/08/19の主人の飲み会（主人の友達（Ｈ氏など））の際の時間帯（使用時間16:00-19:00）の空調設定を「冷房：温度低め、風量：強め、脱臭」とする。
（４）2017/08/24の女子会（Ｙ嬢など）の際の居間の空調設定
居間の空調設定履歴情報
・2017/07/20の女子会（私の女友達（Ｙ嬢など））の際の空調設定履歴：「冷房：温度標準、風量：標準」（このような冷房、風量の空調設定となったのは、参加者であるＹ嬢は「冷房：温度高め、風量：弱め」を好むものの、参加者が多く、室温が上がり易いため）
そこで、居間の空調設定予定情報では、2017/08/24の女子会（Ｙ嬢など）の際の時間帯（使用時間15:00-17:00）の空調設定を「冷房：温度標準、風量：標準」とする。
（５）2017/09/02のＫ家（Ｋ家夫妻）との食事会の際の居間の空調設定
居間の空調設定履歴情報
・2017/07/01のＫ家との食事会（Ｋ家夫妻）の際の空調設定履歴：「冷房：温度標準、風量：弱め、脱臭」（このような冷房、風量の空調設定となったのは、参加者であるＫ家夫妻がそのような設定を好んだため／脱臭を設定したのは、Ｋ氏に喫煙習慣があるため）
そこで、居間の空調設定予定情報では、2017/09/02のＫ家（Ｋ家夫妻）との食事会の際の時間帯（使用時間18:00-20:00）の空調設定を「冷房：温度標準、風量：弱め、脱臭」とする。
【００８３】
なお、本実施形態において、履歴情報作成部２１ｂは、居間（空調領域）を使用した来訪者（イベントの出席者）とそのときの空調設定とを関連付けた空調設定履歴情報を作成する構成とした。しかしながら、履歴情報作成部２１ｂは、居間（空調領域）で行われたイベント（誕生会、お茶会、飲み会、女子会あるいは食事会など）とそのときの空調設定とを関連付けた空調設定履歴情報を作成する構成であってもよい。
【００８４】
この場合、予定情報作成部２１ｃは、スケジュール情報に含まれる予定イベント（例えば女子会）と同じ、空調設定履歴情報に含まれる過去イベント（例えば女子会）と関連づけられた空調設定に基づいて、上記予定イベントでの空調設定予定情報を作成する。空調運転制御部２１ｄは、空調設定予定情報の予定イベントの空調設定を上記予定イベントにて空気調和機１１を運転するときの空調設定とする。この点は、以下の他の実施形態においても同様である。
【００８５】
（空気調和機１１の利点）
上記のように、本実施形態の空気調和機１１では、イベントスケジュール情報から自宅の居間の使用予定者（例えば居間を使用する予定の来訪者）を特定し、居間の空調設定履歴情報に記されている、上記使用予定者が過去に居間を使用したときの空調設定履歴に基づいて、居間の空調設定予定情報の空調設定（上記使用予定者が居間を使用する際の空調設定）を自動的に行うようにしている。また、居間の空調設定履歴情報は、誰かが居間を使用した場合に、その誰か（使用者）と空調設定との関係を示す空調設定履歴として蓄積されていく。
【００８６】
したがって、空気調和機１１は、空気調和機１１の使用者や空調設定を自動的に行う場合のキーワードを予め登録しておく必要がなく、幅広い使用者についての自動的な空調設定に対応可能である。これにより、空気調和機１１は、高い汎用性および高い利便性を備えることができる。
【００８７】
なお、本実施形態の空気調和機１１のユーザ選択モードでの運転制御動作は、図７に示した先の実施形態のユーザ選択モードのフローチャートにおいて、「応接室」を「居間」に変更するだけであるので、フローチャートの記載および動作説明を省略する。
【００８８】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、空調設定の対象となる空気調和機が会社の応接室に備えられている空気調和機である場合、かつ空気調和機が自動運転モードで動作する場合を例に説明する。
【００８９】
図１４は本実施形態の空気調和システムの構成を示すブロック図である。図１５は、図１４に示した空気調和機５１の空調機制御部６１が作成する応接室の空調設定履歴情報を示す説明図である。
【００９０】
図１４に示すように、空気調和システムは、空気調和機５１およびリモコン１４を備えている。
【００９１】
（空気調和機５１の構成）
図１４に示すように、空気調和機５１は、空調機制御部６１、マイクロフォン（音声取得部）６２、空調記憶部６３、空調ユニット２４および通信部２５を備えている。
【００９２】
マイクロフォン６２は、空気調和機５１が空調を行う空間の音声を取得する。空調機制御部６１は、マイクロコンピュータからなり、声紋認識部６１ａ、履歴情報作成部６１ｂおよび空調運転制御部６１ｃを備えている。
【００９３】
声紋認識部６１ａは、マイクロフォン６２が取得した各個人の音声から各個人の声紋を認識する。
【００９４】
履歴情報作成部６１ｂは、図１５に示すように、空気調和機５１を運転したときの空調設定とそのときに存在した声紋とを関連づけた応接室の空調設定履歴情報を作成し、空調記憶部６３に記憶させる。なお、図１５に示す応接室の空調設定履歴情報は、簡略化のため、時期を夏の一定期間に限定して示している。
【００９５】
空調運転制御部６１ｃは、空調設定履歴情報を参照し、空気調和機５１を運転するときに存在する声紋と関連づけられた空調設定履歴に基づいて空気調和機を運転するときの空調設定を行い、その空調設定に基づいて空調ユニット２４の動作を制御する。これにより、空気調和機５１は、応接室に対する空調動作を行う。また、空調運転制御部６１ｃは、通信部２５によりリモコン１４と通信する。
【００９６】
空調記憶部６３は、不揮発性のメモリからなり、空調設定履歴情報に加えてその他の各種情報を記憶する。
【００９７】
空調ユニット２４は、冷房、暖房、送風、除湿、脱臭および換気等の各機能を有し、空調機制御部６１の運転制御により、適宜それら動作を行う。
【００９８】
（リモコン１４の構成）
リモコン１４は、リモコン制御部１４ａ、通信部１４ｂ、入力部１４ｃおよび表示部１４ｄを備えている。
【００９９】
入力部１４ｃは、ユーザからの各種キー入力を受け付ける。表示部１４ｄは各種情報を表示する。リモコン制御部１４ａは、リモコン１４の動作を制御し、通信部１４ｂにより空気調和機５１と通信する。
【０１００】
（空気調和機５１の運転制御、および空調設定履歴情報の作成動作）
上記の構成において、空調機制御部６１による空気調和機５１の自動運転モードでの運転制御動作について以下に説明する。図１６は、空調機制御部６１の空調運転制御部６１ｃによる自動運転モードでの応接室の空調ユニット２４の制御動作、および応接室の空調設定履歴情報の作成動作を示すフローチャートである。
【０１０１】
図１６に示すように、例えばリモコン１４にて空気調和機５１の運転開始が指示されると（Ｓ７１）、空調機制御部６１の声紋認識部６１ａはマイクロフォン６２が取得した音声の声紋を認識する（Ｓ７２）。
【０１０２】
次に、空調運転制御部６１ｃは、応接室の空調設定履歴情報を参照し（Ｓ７３）、声紋認識部６１ａが認識した声紋に関連づけられた空調設定が空調設定履歴情報に存在するかどうかを判定する（Ｓ７４）。
【０１０３】
Ｓ７４での判定の結果がＹＥＳであり、運転モードが自動運転モードであるので、空調運転制御部６１ｃは、上記声紋に関連づけられた空調設定に従って空調ユニット２４の運転開始する（Ｓ７５）。これにより、空気調和機５１は、応接室に対する空調動作を行う。
【０１０４】
その後、リモコン１４からの空調設定の変更指示が無く（Ｓ７６）、例えばリモコン１４にて空気調和機５１の運転終了が指示されると（Ｓ７７）、空調運転制御部６１ｃは空調ユニット２４に対する運転制御を終了する（Ｓ７８）。また、履歴情報作成部６１ｂは、今回行った空調設定に基づき、空調記憶部６３が記憶している応接室の空調設定履歴情報を更新し（Ｓ７９）、動作を終了する。
【０１０５】
一方、Ｓ７７において、空気調和機５１の運転終了の指示がなければＳ７５の動作へ戻る。
【０１０６】
また、Ｓ７６において、リモコン１４からの空調設定の変更指示があれば、リモコン１４からの空調設定に従って空調ユニット２４の運転制御を行い（Ｓ８０）、Ｓ７７の動作へ進む。
【０１０７】
また、Ｓ７４において、声紋認識部６１ａが認識した声紋に関連づけられた空調設定が空調設定履歴情報に存在しなければ、Ｓ８０へ進み、リモコン１４からの空調設定が指示されるまで待機し、リモコン１４からの空調設定が指示されると、それに従って空調ユニット２４の運転制御を行う。
【０１０８】
なお、空気調和機５１の運転開始および運転終了は、リモコン１４からの指示によらず、応接室の使用予定時間が設定されている場合に、その使用予定時間に基づいて自動的に行うようにしてもよい。
【０１０９】
上記のように、応接室の空調設定履歴情報は、応接室の空調設定予定情報に基づいて空気調和機５１の運転が行われるごとに更新され、履歴情報が蓄積されていく。
【０１１０】
ここで、空調運転制御部６１ｃによる、声紋認識部６１ａが取得した声紋および空調設定履歴情報に基づく空調設定動作について以下に示す。
（１）声紋ａが存在する場合の空調設定
・声紋ａが存在した2017/07/05の空調設定履歴：「冷房：温度低め、風量：強め」
・声紋ａが存在した2017/07/19の空調設定履歴：「冷房：温度低め、風量：強め」
（このような冷房、風量の空調設定となったのは、声紋ａの人がそのような設定を好んだため）
そこで、声紋ａが存在する場合の空気調和機５１の空調設定は、「冷房：温度低め、風量：強め」とする。
（２）声紋ｂが存在する場合の応接室の空調設定
・声紋ｂが存在した2017/07/12の空調設定履歴：「冷房：温度高め、風量：弱め」
・声紋ｂが存在した2017/07/26の空調設定履歴：「冷房：温度高め、風量：弱め」
（このような冷房、風量の空調設定となったのは、声紋ｂの人がそのような設定を好んだため）
そこで、声紋ｂが存在する場合の空気調和機５１の空調設定は、「冷房：温度高め、風量：弱め」とする。
（３）声紋ａおよびｂが存在する場合の空調設定
・声紋ａおよびｂが存在した2017/0/02の空調設定履歴：「冷房：温度標準、風量：標準」
（このような冷房、風量の空調設定となったのは、声紋ａおよびｂの空調設定履歴の中間値を採用したため）
そこで、声紋ａおよびｂが存在する場合の空気調和機５１の空調設定は、「冷房：温度標準、風量：標準」とする。
【０１１１】
なお、空調設定履歴情報に、声紋ａおよび声紋ｂが個別に存在する場合の空調設定履歴が存在する一方、声紋ａおよび声紋ｂが同時に存在する場合の空調設定履歴が存在しない場合、声紋ａおよびｂが同時に存在する場合の空気調和機５１の空調設定は、声紋ａおよび声紋ｂが個別に存在する場合の空調設定履歴に基づいて設定してもよい。この場合の空調設定は、例えば、声紋ａが存在した場合の空調設定履歴（空調設定）と声紋ｂが存在した場合の空調設定履歴（空調設定）との中間の空調設定、あるいはいずれか一方の声紋（例えば、女性の声紋、高齢者の声紋あるいは幼児の声紋など）に関連づけられた空調設定履歴（空調設定）を優先し、その優先した空調設定履歴（空調設定）に従った空調設定としてもよい。この点は以下の他の実施形態においても同様である。
【０１１２】
（空気調和機５１の利点）
上記のように、空気調和機５１では、応接室を使用する人の声紋を認識し、応接室の空調設定履歴情報に記されている、上記声紋が存在したときの空調設定履歴に基づいて、応接室の空調設定を行うようにしている。また、応接室の空調設定履歴情報は、誰かが応接室を使用した場合に、その誰かの声紋とそのときの空調設定との関係を示す空調設定履歴として蓄積されていく。
【０１１３】
したがって、空気調和機１１は、空気調和機１１の使用者や空調設定を自動的に行う場合のキーワードを予め登録しておく必要がなく、幅広い使用者についての自動的な空調設定に対応可能である。これにより、空気調和機１１は、高い汎用性および高い利便性を備えることができる。
【０１１４】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、空調設定の対象となる空気調和機が会社の応接室に備えられている空気調和機である場合、かつ空気調和機がユーザ選択モードで動作する場合を例に説明する。
【０１１５】
（空気調和機５１の運転制御）
空調機制御部６１による空気調和機５１のユーザ選択モードでの運転制御動作について以下に説明する。図１７は、空調機制御部６１の空調運転制御部６１ｃによるユーザ選択モードでの応接室の空調ユニット２４の制御動作、および応接室の空調設定履歴情報の作成動作を示すフローチャートである。
【０１１６】
図１７に示すＳ７１〜Ｓ８０の動作は、図１６に示したＳ７１〜Ｓ８０と同じであるので、説明を省略する。
【０１１７】
空気調和機５１の空調運転制御部６１ｃは、Ｓ７４の判定において、声紋認識部６１ａが認識した声紋に関連づけられた空調設定が空調設定履歴情報に存在した場合に、ユーザに対して、履歴の空調設定による空気調和機５１の運転の可否を問い合わせる（Ｓ９１）。
【０１１８】
この場合、本実施形態では、空調運転制御部６１ｃは、リモコン１４に対して履歴の空調設定（声紋認識部６１ａが認識した声紋に関連づけられた空調設定）を送信し、履歴の空調設定による空気調和機５１の運転の可否を問い合わせる。これに応じてリモコン１４では、リモコン制御部１４ａは、空気調和機５１から受信した履歴の空調設定、および履歴の空調設定による空気調和機５１の運転の可否を問うメッセージを表示部１４ｄに表示させる。その後、ユーザの入力部１４ｃの操作により、履歴の空調設定による空気調和機５１の運転を「可」または「否」とする入力が行われると、リモコン制御部１４ａは、その情報を空気調和機５１へ送信する。
【０１１９】
空気調和機５１の空調運転制御部６１ｃは、リモコン１４から、履歴の空調設定による空気調和機５１の運転を「可」とする返信を受信すると（Ｓ９２）、Ｓ７５へ進み、履歴の空調設定による空気調和機５１の運転を開始する。
【０１２０】
一方、空気調和機５１の空調運転制御部６１ｃは、リモコン１４から、履歴の空調設定による空気調和機５１の運転を「否」とする返信を受信すると（Ｓ９２）、Ｓ８０へ進み、リモコン１４からの空調設定に従って空気調和機５１の運転を開始する。
【０１２１】
（空気調和機５１の利点）
本実施形態の空気調和機５１では、応接室を使用する人の声紋を認識し、応接室の空調設定履歴情報に記されている、上記声紋が存在したときの空調設定履歴に基づいて、応接室の空調設定を行うようにしている。また、応接室の空調設定履歴情報は、誰かが応接室を使用した場合に、その誰かの声紋とそのときの空調設定との関係が空調設定履歴として蓄積されていく。
【０１２２】
したがって、空気調和機５１は、空気調和機５１の使用者や空調設定を自動的に行う場合のキーワードを予め登録しておく必要がなく、幅広い使用者についての自動的な空調設定に対応可能である。
【０１２３】
また、空気調和機５１を運転するときに声紋認識部６１ａが認識した声紋に関連づけられた空調設定が空調設定履歴情報に存在する場合に、履歴の空調設定による空気調和機５１の運転の可否をユーザが選択することができる。これにより、空気調和機５１は、高い汎用性およびさらに高い利便性を備えることができる。
【０１２４】
〔実施形態６〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、空調設定の対象となる空気調和機が自宅の居間に備えられている空気調和機である場合、かつ空気調和機が自動運転モードで動作する場合を例に説明する。
【０１２５】
本実施形態の空気調和システムの構成は、図１４に示した空気調和システムの構成と同じである。図１８は、図１４に示した空気調和機５１の空調機制御部６１が作成する応接室の空調設定履歴情報を示す説明図である。
【０１２６】
（空気調和機５１の運転制御、および空調設定履歴情報の作成動作）
本実施形態の空気調和機５１の自動運転モードおよびユーザ選択モードでの空気調和機５１の運転制御および空調設定履歴情報の作成動作については、図１６および図１７に示した動作と同じである。
【０１２７】
ここで、本実施形態の空気調和機５１の空調機制御部６１の空調運転制御部６１ｃによる、声紋認識部６１ａが取得した声紋および空調設定履歴情報に基づく空調設定動作について以下に示す。
（１）声紋ｐが存在する場合の空調設定
・声紋ｐが存在した2016/08/06の空調設定履歴：「冷房：温度低め、風量：強め」
（このような冷房、風量の空調設定となったのは、声紋ｐの人がそのような設定を好んだため）
そこで、声紋ｐが存在する場合の空気調和機５１の空調設定は、「冷房：温度低め、風量：強め」とする。
（２）声紋ｋが存在する場合の空調設定
・声紋ｋが存在した2017/07/01の空調設定履歴：「冷房：温度標準、風量：弱め、脱臭」（このような冷房、風量の空調設定となったのは、声紋ｋの人がそのような設定を好んだため／脱臭を設定したのは、声紋ｋの人に喫煙習慣があるため）
そこで、声紋ｋが存在する場合の空気調和機５１の空調設定は、「冷房：温度標準、風量：弱め、脱臭」とする。
（３）声紋ｙが存在する場合の空調設定
・声紋ｙが存在した2017/07/20の空調設定履歴：「冷房：温度標準、風量：標準」
（このような冷房、風量の空調設定となったのは、声紋ｙの人がそのような設定を好んだため）
そこで、声紋ｙが存在する場合の空気調和機５１の空調設定は、「冷房：温度標準、風量：標準」とする。
（４）声紋ｈが存在する場合の空調設定
・声紋ｈが存在した2017/07/22の際の空調設定履歴：「冷房：温度低め、風量：強め、脱臭」
（このような冷房、風量の空調設定となったのは、声紋ｈの人がそのような設定を好んだため／脱臭を設定したのは、声紋ｈの人に喫煙習慣があったため）
そこで、声紋ｈが存在する場合の空気調和機５１の空調設定は、「冷房：温度低め、風量：強め、脱臭」とする。
（５）声紋ｓおよびｙが存在する場合の空調設定
声紋ｓおよびｙが存在した2017/08/03の空調設定履歴：「冷房：温度高め、風量：弱め」（このような冷房、風量の空調設定となったのは、声紋ｓの人がそのような設定を好み、かつ高齢者である声紋ｓの人の好みを声紋ｙの人の好みよりも優先したため）
そこで、声紋ｓおよびｙが存在する場合の空気調和機５１の空調設定は、「冷房：温度高め、風量：弱め」とする。
【０１２８】
本実施形態の空気調和機５１は、先の実施形態の空気調和機５１と同じ利点を有する。
【０１２９】
以上の実施形態に示した構成は、会社の応接室や自宅の居間に備えられた空気調和機に限定されることなく、種々の場所に備えられている空気調和機に適用可能である。
【０１３０】
なお、応接室使用スケジュール情報やイベントスケジュール情報は、情報端末装置１２が保持している場合に限定されず、何らかのサーバにアップロードされているものをダウンロードするようにしてもよい。
【０１３１】
〔ソフトウェアによる実現例〕
空気調和機１１，５１の制御ブロック（特に空調機制御部２１，６１）は、集積回路（ＩＣチップ）等に形成された論理回路（ハードウェア）によって実現してもよいし、ＣＰＵ（Central Processing Unit）を用いてソフトウェアによって実現してもよい。
【０１３２】
後者の場合、空調機制御部２１，６１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３３】
〔まとめ〕
本発明の態様１に係る空気調和機は、空気調和機を運転したときの空調設定とそのときの空調領域でのイベントまたは前記イベントの出席者とを関連づけた空調設定履歴情報を作成する履歴情報作成部（２１ｂ，６１ｂ）と、空気調和機を運転するときに、前記空調領域でのイベントと同じ、前記空調設定履歴情報に含まれる過去イベント、または前記空調領域でのイベントの出席者と同じ、前記過去イベントの出席者と関連づけられた空調設定に基づいて、空気調和機を運転するときの空調設定を行う空調運転制御部（２１ｄ，６１ｃ）とを備えている。
【０１３４】
上記の構成によれば、履歴情報作成部（２１ｂ，６１ｂ）は、空気調和機を運転したときの空調設定とそのときの空調領域でのイベントまたはイベントの出席者とを関連づけた空調設定履歴情報を作成する。この空調設定履歴情報は、空気調和機の空調領域において何等かのイベントが行われた場合に、そのイベントまたはイベントの出席者と空調設定との関係を示すものとして蓄積していくことができる。
【０１３５】
空調運転制御部（２１ｄ，６１ｃ）は、空気調和機を運転するときに、空調領域でのイベントと同じ、空調設定履歴情報に含まれる過去イベント、または空調領域でのイベントの出席者と同じ、過去イベントの出席者と関連づけられた空調設定に基づいて、空気調和機を運転するときの空調設定を行う。
【０１３６】
したがって、空気調和機は、空気調和機の使用者や空調設定を自動的に行う場合のキーワードを予め登録しておく必要がなく、幅広いイベントや使用者についての自動的な空調設定に対応可能である。これにより、空気調和機は、高い汎用性および高い利便性を備えることができる。
【０１３７】
本発明の態様２に係る空気調和機は、上記態様１において、空調領域でのスケジュール情報を取得するスケジュール情報取得部（２１ａ）と、前記スケジュール情報に含まれる予定イベントと同じ、前記空調設定履歴情報に含まれる過去イベント、または前記予定イベントの出席者と同じ、前記過去イベントの出席者と関連づけられた空調設定に基づいて、前記予定イベントでの空調設定予定情報を作成する予定情報作成部（２１ｃ）とを備え、前記空調運転制御部（２１ｄ）は、前記空調設定予定情報の空調設定を空気調和機を運転するときの空調設定とする構成としてもよい。
【０１３８】
上記の構成によれば、スケジュール情報取得部（２１ａ）は、空調領域でのスケジュール情報を例えば外部装置と通信して取得する。予定情報作成部（２１ｃ）は、取得したスケジュール情報に含まれる予定イベントと同じ、空調設定履歴情報に含まれる過去イベント、または予定イベントの出席者と同じ、過去イベントの出席者と関連づけられた空調設定に基づいて、予定イベントでの空調設定予定情報を作成する。空調運転制御部（２１ｄ）は、空調設定予定情報の空調設定を空気調和機を運転するときの空調設定とする。
【０１３９】
したがって、空調運転制御部（２１ｄ）は、予定情報作成部（２１ｃ）が予め作成する空調設定予定情報に基づいて、空気調和機を運転する場合の空調設定を容易に行うことができる。
【０１４０】
本発明の態様３に係る空気調和機は、上記態様１において、音声取得部（マイクロフォン６２）と、前記音声取得部が取得した音声の声紋を認識する声紋認識部（６１ａ）とを備え、前記履歴情報作成部（６１ｄ）は、空気調和機を運転したときの空調設定とそのときの前記空調領域での前記イベントの出席者の声紋とを関連づけた空調設定履歴情報を作成し、前記空調運転制御部（６１ｃ）は、前記空調領域に存在する前記声紋と同じ、前記空調設定履歴情報に含まれる声紋と関連づけられた空調設定に基づいて、空気調和機を運転するときの空調設定を行う構成としてもよい。
【０１４１】
上記の構成によれば、声紋認識部（６１ａ）は、音声取得部が取得した音声の声紋を認識する。履歴情報作成部（６１ｄ）は、空気調和機を運転したときの空調設定とそのときの空調領域でのイベントの出席者の声紋とを関連づけた空調設定履歴情報を作成する。空調運転制御部（６１ｃ）は、空調領域に存在する声紋と同じ、空調設定履歴情報に含まれる声紋と関連づけられた空調設定に基づいて、空気調和機を運転するときの空調設定を行う。
【０１４２】
したがって、空調運転制御部（６１ｃ）は、声紋認識部（６１ａ）が認識した音声の声紋と空調設定履歴情報とに基づいて、空気調和機を運転する場合の空調設定を容易に行うことができる。
【０１４３】
本発明の態様４に係る空気調和機は、上記態様１から３のいずれか１態様において、前記空調運転制御部（２１ｄ，６１ｃ）は、設定した空調設定に従って自動的に空気調和機を運転する構成としてもよい。
【０１４４】
上記の構成によれば、空調運転制御部（２１ｄ，６１ｃ）は、設定した空調設定に従って空気調和機の運転を自動的に行うことができきる。
【０１４５】
本発明の態様５に係る空気調和機は、上記態様１から３のいずれか１態様において、外部装置と通信する通信部（２２，２５）を備え、前記空調運転制御部（２１ｄ，６１ｃ）は、設定した前記空調設定による空気調和機の運転の可否の問い合わせを通信部（２２，２５）から前記外部装置へ送信し、前記空調設定による空気調和機の運転を可とする返信を前記外部装置から受信したときに、前記空調設定に従って空気調和機を運転する一方、前記空調設定による空気調和機の運転の否とする返信を前記外部装置から受信したときに、前記外部装置または前記外部装置とは異なる外部装置からの空調設定に従って空気調和機を運転する構成としてもよい。
【０１４６】
上記の構成によれば、過去の履歴に応じて設定された空調設定をユーザの意向に応じて適宜変更することができる。
【０１４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４８】
１１，５１    空気調和機
１２    情報端末装置
１３    サーバ
１４    リモコン
２１，６１    空調機制御部
２１ａ  スケジュール情報取得部
２１ｂ，６１ｂ  履歴情報作成部
２１ｃ  予定情報作成部
２１ｄ，６１ｃ  空調運転制御部
２３，６３    空調記憶部
２４    空調ユニット
６１ａ  声紋認識部
６２    マイクロフォン（音声取得部）
【図１】
2019002577.tif 000003
【図２】
2019002577.tif 000004
【図３】
2019002577.tif 000005
【図４】
2019002577.tif 000006
【図５】
2019002577.tif 000007
【図６】
2019002577.tif 000008
【図７】
2019002577.tif 000009
【図８】
2019002577.tif 000010
【図９】
2019002577.tif 000011
【図１０】
2019002577.tif 000012
【図１１】
2019002577.tif 000013
【図１２】
2019002577.tif 000014
【図１３】
2019002577.tif 000015
【図１４】
2019002577.tif 000016
【図１５】
2019002577.tif 000017
【図１６】
2019002577.tif 000018
【図１７】
2019002577.tif 000019
【図１８】
2019002577.tif 000020